(57)【特許請求の範囲】
【請求項１】
室内熱交換器と室内送風機とを有した複数台の略共通形状の室内ユニットを前後に並べて配置し、室内ユニットの吹出口をフリーアクセスフロアの床下に配置すると共に、前方の室内ユニットに自己の熱交換後の空気を吹出す第一吹出口と、中仕切板で仕切られて、後方の室内ユニットの熱交換後の空気を吹出す第二吹出口とを一体に形成したことを特徴とする空気調和装置。
【請求項２】
前記第二吹出口が第一吹出口の下部に配置されていることを特徴とする請求項１記載の空気調和装置。
【請求項３】
後方の室内ユニットの吹出口温度センサが前方の室内ユニットに形成された前記第二吹出口の近傍に配置されていることを特徴とする請求項１または２記載の空気調和装置。
【発明の詳細な説明】
【０００１】
【発明の属する技術分野】
本発明は、複数台の室内ユニットを備えた空気調和装置に関する。
【０００２】
【従来の技術】
一般に、複数台の室内ユニットを備えた空気調和装置では、複数台の室内ユニットを一つの室内空間に配置することがある。
【０００３】
この場合、オフィスビル等ではフリーアクセスフロアの下に空間を形成し、この空間に冷気或いは暖気を供給し、これらの冷気または暖気を床面に形成される床吹出口から室内に噴出し、室内の空調を行うようにしたものが提案されている（例えば、特開平６−３１７３３７号公報）。
【０００４】
このような床置き式等の空気調和装置では、一つの室内空間に対し複数台の室内ユニットを横並びに配置したり、或いは少し離して配置したり、対向配置したりするのが一般的である。
【０００５】
【発明が解決しようとする課題】
しかしながら、上記した室内ユニットの配置構成では、それを配置する室内の形態によっては当該室内ユニットが場所をとりすぎて効率のよいレイアウトができないという問題がある。
【０００６】
そこで、本発明の目的は、上述した従来技術が有する課題を解消し、複数台の室内ユニットを一つの室内空間に対し効率よくレイアウトすることができる空気調和装置を提供することにある。
【０００７】
【課題を解決するための手段】
請求項１記載の発明は、室内熱交換器と室内送風機とを有した複数台の略共通形状の室内ユニットを前後に並べて配置し、室内ユニットの吹出口をフリーアクセスフロアの床下に配置すると共に、前方の室内ユニットに自己の熱交換後の空気を吹出す第一吹出口と、中仕切板で仕切られて、後方の室内ユニットの熱交換後の空気を吹出す第二吹出口とを一体に形成したことを特徴とする。
【０００８】
請求項２記載の発明は、請求項１記載のものにおいて、前記第二吹出口が第一吹出口の下部に配置されていることを特徴とする。
【０００９】
請求項３記載の発明は、請求項１または２記載のものにおいて、後方の室内ユニットの吹出口温度センサが前方の室内ユニットに形成された前記第二吹出口の近傍に配置されていることを特徴とする。
【００１０】
室内の形態によっては、一つの室内空間に対し室内ユニットを前後に並べて配置することが、レイアウト上で望ましい場合がある。
【００１１】
これらの発明では、上記のように、前方の室内ユニットに自己の熱交換後の空気を吹出す第一吹出口以外に、後方の室内ユニットの熱交換後の空気を吹出す第二吹出口を形成したため、複数台の室内ユニットを一つの室内空間に対し前後に並べて配置することが可能になる。
【００１２】
【発明の実施の形態】
以下、本発明の一実施形態を図面に基づいて説明する。
【００１３】
図１において、１Ａ，１Ｂは室内ユニットを示している。この室内ユニット１Ａ，１Ｂは、室内熱交換器３Ａ，３Ｂと、図４に示すように１つの室内ユニットに対し各２台で合計４台の室内送風機５Ａ〜５Ｄとを夫々有し、一つの室内空間１０に対し前後に並べて配置されている。６は木製の架台である。
【００１４】
１１はフリーアクセスフロアを示し、室内ユニット１Ａ，１Ｂからの吹出し空気はこのフリーアクセスフロア１１の床下に吹き出され、床吹出口１２を介して室内空間１０に吹き出される。上記室内熱交換器３Ａ，３Ｂには、図示を省略した室外ユニットが接続され、この室外ユニットから冷媒が供給されて、室内熱交換器３Ａ，３Ｂが凝縮器として機能する場合、室内空間１０には床吹出口１２を介して暖房空気が吹き出され、室内熱交換器３Ａ，３Ｂが蒸発器として機能する場合、室内空間１０には冷房空気が吹き出される。なお、室内ユニット１Ａ，１Ｂの吸込み口（図示せず）は天板部に形成されている。
【００１５】
各室内ユニット１Ａ，１Ｂはほとんど共通の形状を呈し、図２に示すように、上から順に送風機室Ａと、第一通風路Ｂと、第二通風路Ｃと、第三通風路Ｄとを備えて構成されている。送風機室Ａには上記の室内送風機５Ａ〜５Ｄが設置され、第二通風路Ｃには上記の室内熱交換器３Ａ，３Ｂが設置されている。前方の室内ユニット１Ａの第三通風路Ｄには略水平に延びる中仕切板７が設けられ、この第三通風路Ｄは、中仕切板７で上下に２つの通風路Ｄ１，Ｄ２に区分されている。
【００１６】
前方の室内ユニット１Ａの前面には、送風機室Ａを覆う前パネル１７Ａと、第一通風路Ｂを覆う前パネル１７Ｂと、第二通風路Ｃおよび第三通風路Ｄを一体的に覆う前パネル１７Ｃとが設けられ、この前パネル１７Ｃには、図３に示すように、第一吹出口１３と、第二吹出口１５とが開口している。
【００１７】
一方、後方の室内ユニット１Ｂの背面には、送風機室Ａを覆う背パネル１８Ａと、第一通風路Ｂを覆う背パネル１８Ｂと、第二通風路Ｃおよび第三通風路Ｄを一体的に覆う背パネル１８Ｃとが設けられている。
【００１８】
これに対し、前方の室内ユニット１Ａの背面は、後方の室内ユニット１Ｂの前面に接し、夫々の第一通風路Ｂを覆う背パネル１９Ｂおよび前パネル２０Ｂと、夫々の第二通風路Ｃおよび第三通風路Ｄを一体的に覆う背パネル１９Ｃ並びに前パネル２０Ｃとが設けられ、背パネル１９Ｃおよび前パネル２０Ｃの最下段には、中仕切板７によって仕切られた下の通風路Ｄ２と、後方の室内ユニット１Ｂの第三通風路Ｄとを連通する開口（図示せず）が形成されている。各室内ユニット１Ａ，１Ｂの送風機室Ａは連通し、その間に仕切り体は存在しない。
【００１９】
上記構成によれば、前方の室内ユニット１Ａの熱交換後の空気は、中仕切板７によって仕切られた上の通風路Ｄ１を経て、前方の室内ユニット１Ａに形成された第一吹出口１３からフリーアクセスフロア１１の床下に吹き出され、床吹出口１２を介して室内空間１０に吹き出される。また、後方の室内ユニット１Ｂの熱交換後の空気は、自己の第三通風路Ｄを経た後に、前方の室内ユニット１Ａの中仕切板７によって仕切られた下の通風路Ｄ２に入り、この室内ユニット１Ａに形成された第二吹出口１５からフリーアクセスフロア１１の床下に吹き出され、床吹出口１２を介して室内空間１０に吹き出される。
【００２０】
前方の室内ユニット１Ａの第一通風路Ｂには、図２、図３に示すように、自己の室内ユニット１Ａの電装箱２２と、後方の室内ユニット１Ｂの電装箱２３とが設置され、各電装箱２２，２３は、前方から前パネル１７Ｂを外してメンテナンスされる。これによれば、室内ユニット１Ａ，１Ｂを前後に配置した場合、前方から前パネル１７Ｂを外しただけで、各電装箱２２，２３をメンテナンスできる。
【００２１】
また、室内ユニット１Ａ，１Ｂを前後に配置した場合、メンテナンススペースは、室内ユニット１Ａの前方にのみ設ければよく、このメンテナンススペースを狭く設定することができる。
【００２２】
前方の室内ユニット１Ａの吹出口温度センサ２５は、図２に示すように、第一吹出口１３の近傍に設置され、後方の室内ユニット１Ｂの吹出口温度センサ２６は、前方の室内ユニット１Ａに形成された第二吹出口１５の近傍に配置されている。吹出口温度センサ２５，２６は制御線を介して電装箱２２，２３の制御回路に接続されるが、これら電装箱２２，２３は上述したように室内ユニット１Ａの第一通風路Ｂにまとめて設置されているので、吹出口温度センサ２５，２６の制御線を上方へ延線するだけでよく、結線作業が容易になる。
【００２３】
以上、一実施形態に基づいて本発明を説明したが、本発明はこれに限定されるものではない。例えば、上記実施形態では、２台の室内ユニットを前後に配置した例を示したが、本発明は、３台以上の室内ユニットを前後に配置した場合にも適用可能である。上記実施形態では、フリーアクセスフロアの下に形成された空間に冷気或いは暖気を供給することによって室内の空調を行うようにした空気調和装置について説明したが、これに限定されるものではなく、例えば、床置き式の空気調和装置等にも適用可能である。
【００２４】
【発明の効果】
本発明では、前方の室内ユニットに自己の熱交換後の空気を吹出す第一吹出口以外に、後方の室内ユニットの熱交換後の空気を吹出す第二吹出口を形成したため、複数台の室内ユニットを一つの室内空間に対し前後に並べて配置することが可能になる。従って、複数台の室内ユニットを一つの室内空間に対し効率よくレイアウトすることができる。
【図面の簡単な説明】
【図１】本発明による空気調和装置の一実施形態を示す断面図である。
【図２】前後に配置した２台の室内ユニットを示す側面図である。
【図３】前方の室内ユニットを示す正面図である。
【図４】２台の室内ユニットを示す配置上面図である。
【符号の説明】
１Ａ，１Ｂ  室内ユニット
３Ａ，３Ｂ  室内熱交換器
５Ａ〜５Ｄ  室内送風機
１０  室内空間
１１  フリーアクセスフロア
Ａ  送風機室
Ｂ  第一通風路
Ｃ  第二通風路
Ｄ  第三通風路
１３  第一吹出口
１５  第二吹出口
２２，２３  電装箱
２６  吹出口温度センサ
【図１】
0003831597.tif 000002
【図２】
0003831597.tif 000003
【図３】
0003831597.tif 000004
【図４】
0003831597.tif 000005